(57)【要約】      （修正有）【課題】小部屋においてビデオカメラで撮影した動画を廉価でかつ簡便に携帯電話の待受画面又は暇つぶし画面用として伝送することである。【解決手段】利用者用が使用に際して課金を投入する課金口、スタートキーその他のキー群と、画像や利用者に対する使用及び操作方法をガイドとして表示するタッチパネル表示装置を備えたコントロール操作ボード、スタートキーの信号により、正面、背面、上面から一定時間撮影する複数台のビデオカメラとを備える携帯電話の待受画面用動画生成装置である。前記ビデオカメラで、人物、犬・猫などの被写体を動画として撮影し、撮影した画像データをパーソナルコンピュータで読み取り、編集処理、データの圧縮、記録などを実行する。その動画像を携帯電話に待受画面用として伝送する。【選択図】図２
2006174390.tif 000002
【特許請求の範囲】
【請求項１】
利用者用が使用に際して課金を投入する課金口、スタートキーその他のキー群及び画像その他を表示する表示装置とを備えるコントロール操作手段と、
利用者に対して使用及び操作方法を説明する手段と、
前記スタートキーの信号により撮影を開始し一定時間撮影する撮影手段と、
を備える携帯電話の待受画面用動画生成装置と、
少なくとも、前記携帯電話の待受画面用動画生成装置における撮影手段により撮影された画像データを読み取る手段と、
該画像データを編集処理する手段と、
該編集処理手段により編集された読み取り画像データを圧縮する手段と、
該画像データを圧縮手段により圧縮された画像データを記憶する記録する手段と、
前記圧縮画像データを伝送する手段とからなることを特徴とする携帯電話の待受画面用画像データ簡易伝送処理装置。
【請求項２】
前記撮影手段はスタートキーの信号により撮影を開始し、一定時間動いている被写体を平面、左右側面、正面及び背面より撮影する複数台のビデオカメラであり、各ビデオカメラにはＩＤを設定することを特徴とする請求項１記載の携帯電話の待受画面用画像データ簡易伝送処理装置。
【請求項３】
前記携帯電話の待受画面用動画生成装置のコントロール操作手段におけるスタート及びその他のキー群において、そのキー群のいずれかのキーを、前記表示装置に表示する画像の中から携帯電話の待受画面へ伝送する画像として選択するキーとすることを特徴とする請求項１記載の携帯電話の待受画面用画像データ簡易伝送処理装置。
【請求項４】
前記画像データ編集処理手段は、動いている被写体の画像を前記複数台のビデオカメラにより撮影した動画像を立体動画像に編集し、該編集した立体動画像を携帯電話の待受画面に伝送することを特徴とする請求項１及び請求項２記載の携帯電話の待受画面用画像データ簡易伝送処理装置。
【請求項５】
前記記録手段は、前記画像圧縮手段により圧縮された画像データ記録し、前記複数台のビデオカメラの各ＩＤに対応した記録エリアを設定し、各ビデオカメラのＩＤごとに画像データ記録し、画像データのデータ量が該記憶エリアの記憶容量を超えた場合は、初めに記憶した古い画像データから順番に上書き記録することを特徴とする請求項１及び請求項２記載の携帯電話の待受画面用画像データ簡易伝送処理装置。
【請求項６】
利用者用が使用に際して課金を投入したことを確認するステップと、
撮影装置の始動及び停止を指示するステップと、
撮影装置が撮影した動画像を表示装置に表示させるステップと、
表示装置に表示した動画像を拡大又は縮小させて表示するステップと、
前記動画像を携帯電話に伝送させるステップと、
使用終了を確認し、記憶装置に記録したすべての画像データが消去したことを繰り返し確認させるステップと、
繰り返して確認しても画像データの消去が確認できない場合は、システムをリセットさせるステップと、
からなることを特徴とする携帯電話の待受画面用画像データ簡易伝送処理方法。
【請求項７】
利用者用が使用に際して課金を投入したことを確認するステップと、
撮影装置の始動及び停止を指示するステップと、
撮影装置が撮影した動画像を表示装置に表示させるステップと、
表示装置に表示した動画像を拡大又は縮小させて表示するステップと、
前記動画像を携帯電話に伝送させるステップと、
使用終了を確認し、記憶装置に記録したすべての画像データが消去したことを繰り返し確認させるステップと、
繰り返して確認しても画像データの消去が確認できない場合は、システムをリセットさせるステップと、
からなることを特徴とする携帯電話の待受画面用画像データ簡易伝送するためのプログラム。
【請求項８】
利用者用が使用に際して課金を投入したことを確認するステップと、
撮影装置の始動及び停止を指示するステップと、
撮影装置が撮影した動画像を表示装置に表示させるステップと、
表示装置に表示した動画像を拡大又は縮小させて表示するステップと、
前記動画像を携帯電話に伝送させるステップと、
使用終了を確認し、記憶装置に記録したすべての画像データが消去したことを繰り返し確認させるステップと、
繰り返して確認しても画像データの消去が確認できない場合は、システムをリセットさせるステップと、
からなることを特徴とする携帯電話の待受画面用画像データ簡易伝送するためのプログラムを記憶したコンピュータ読み取り可能な記憶媒体。
【発明の詳細な説明】
【発明の詳細な説明】
【技術分野】
【０００１】本発明は、携帯電話の待受画面用画像データ簡易伝送処理装置、処理方法、プログラム及び記憶媒体に関する。本発明は特に娯楽用として小部屋における人物あるいは犬・猫等の被写体をビデオカメラにより平面、正面・背面、左右側面のほぼ３６０度の方向から撮影する携帯電話の待受画面用の簡易動画撮影装置、処理方法、プログラム及び記憶媒体に関する。
【背景技術】
【０００２】これまで、娯楽用としてビデオカメラで撮影した画像をプリントする装置としてプリントクラブがある。一方でアニメーションなどの動画映像システムは、ビデオカメラを固定し、被写体を移動するなど様々手法を駆使して動画映像を生成している。さらに、携帯電話の待受画面用の画像はもともと被写体の静止画像をソフトウェアを介して立体的な仮想的動画データに編集して携帯電話の待受画面に表示する手法が用いられている。【０００３】たとえば、従来は、ビデオカメラにより撮影した映像を、規定数の画像として記憶し、別途記憶した装飾用のフレームと規定数の画像とを合成し、それら画像の一覧を操作画面に表示すること、そして、ユーザが前記操作パネルを用いて選択した合成画像を印刷機によりシールに印刷させ、取り出し口から排出させるものがある（特許文献１参照）。【０００４】さらに、従来は、携帯電話の待受け画面用に動画アニメーションをサーバーを介して配信制御する発明があり、そこでは、サーバーに予め動画アニメーションを記録し、携帯電話でサーバーにアクセスし、携帯電話の待受け画面へ取り込む発明が開示されている（特許文献２参照）。【０００５】
【特許文献１】特開２００１−３５２５０５公報
【０００６】
【特許文献２】特開２００３−２３５０７公報
【発明が解決しようとする課題】
【０００７】従来は、アニメーションなどの動画像の制作は、被写体を移動させて一コマごとに撮影し、コマ送り方式により動画像を制作していたため、時間、労力がかかるという課題を有していた。また、立体的な動画を撮影するシステムは、プリントクラブのような小部屋において廉価でかつ簡便に、携帯電話の待受画面用として立体動画映像を撮影することができない課題を有する。
【０００８】特許文献１には、装飾用のフレームとプリントクラブで撮影した画像とを合成し、それら画像を操作画面に表示し、ユーザが前記操作パネルを用いて選択した合成画像を印刷機によりシールに印刷する発明が開示されている。本発明は、複数台のビデオカメラで簡易的に動画像を撮影し、その画像を携帯電話の待受画面に伝送するものであり、該文献には、本発明に関する技術的課題への具体的な手段についての記述及びそれらを示唆する記載は見当たらない。
【発明の目的】
【０００９】そこで、本発明の目的は、ビデオカメラを小部屋内に適宜に配置し、上下左右のほぼ３６０度の角度から静止又は動いている被写体を簡易的に撮影し、携帯電話の待受画面に送信することである。さらに、本発明の目的は、小部屋に複数台設置したビデオカメラにより人物、犬・猫などの被写体を動画として簡易的に撮影し、動画データとして携帯電話の待受画面に伝送することである。さらに、１回の使用料金５００円の所要時間を５分間とし、ＣＰＵが時間を管理し、約２０秒間撮影し、撮影した画像を携帯電話の町受画面又は暇つぶし画面用として画像データを伝送することである。さらに、撮影した画像を娯楽用として利用者の操作機器の表示装置に表示し、撮影した画像を拡大縮小など再生することである。
【課題を解決するための手段】
【００１０】以下、本発明の課題を解決する手段を説明する。
【００１１】請求項１は、利用者用が使用に際して課金を投入する課金口、スタートキーその他のキー群及び画像その他を表示する表示装置を備えるコントロール操作手段と、利用者に対して使用及び操作方法を説明する手段と、前記スタートキーの信号により撮影を開始し一定時間撮影する撮影手段とを備える携帯電話の待受画面用動画生成装置と、少なくとも、前記携帯電話の待受画面用動画生成装置における撮影手段により撮影された画像データを読み取る手段と、該画像データを編集処理する手段と、該編集処理手段により編集された読み取り画像データを圧縮する手段と、該画像データを圧縮手段により圧縮された画像データを記憶する記録する手段と、前記圧縮画像データを伝送する手段とからなることを特徴とする携帯電話の待受画面用画像データ簡易伝送処理装置である。
【００１２】請求項２は、前記撮影手段はスタートキーの信号により撮影を開始し、一定時間動いている被写体を平面、左右側面、正面及び背面より撮影する複数台のビデオカメラであり、各ビデオカメラにはＩＤを設定することを特徴とする携帯電話の待受画面用画像データ簡易伝送処理装置である。
【００１３】請求項３は、前記携帯電話の待受画面用動画生成装置のコントロール操作手段におけるスタート及びその他のキー群において、そのキー群のいずれかのキーを、前記表示装置に表示する画像の中から携帯電話の待受画面へ伝送する画像として選択するキーとすることを特徴とする携帯電話の待受画面用画像データ簡易伝送処理装置である。
【００１４】請求項４は、前記画像データ編集処理手段は動いている被写体の画像を前記複数台のビデオカメラにより撮影した動画像を立体動画像に編集し、該編集した立体動画像を携帯電話の待受画面に伝送することを特徴とする携帯電話の待受画面用画像データ簡易伝送処理装置である。
【００１５】請求項５は、前記記録手段は前記画像圧縮手段により圧縮された画像データを記録し、前記複数台のビデオカメラの各ＩＤに対応した記録エリアを設定し、各ビデオカメラのＩＤごとに画像データを記録し、画像データのデータ量が該記憶エリアの記憶容量を超えた場合は、初めに記憶した古い画像データから順番に上書き記録することを特徴とする携帯電話の待受画面用画像データ簡易伝送処理装置である。
【００１６】請求項６は、利用者用が使用に際して課金を投入したことを確認するステップと、撮影装置の始動及び停止を指示するステップと、撮影装置が撮影した動画像を表示装置に表示させるステップと、表示装置に表示した動画像を拡大又は縮小させて表示するステップと、前記動画像を携帯電話に伝送させるステップと、使用終了を確認し、記憶装置に記録したすべての画像データが消去したことを繰り返し確認させるステップと、繰り返して確認しても画像データの消去が確認できない場合は、システムをリセットさせるステップと、からなることを特徴とする携帯電話の待受画面用画像データ簡易伝送処理方法である。
【００１７】請求項７は、利用者用が使用に際して課金を投入したことを確認するステップと、撮影装置の始動及び停止を指示するステップと、撮影装置が撮影した動画像を表示装置に表示させるステップと、表示装置に表示した動画像を拡大又は縮小させて表示するステップと、前記動画像を携帯電話に伝送させるステップと、使用終了を確認し、記憶装置に記録したすべての画像データが消去したことを繰り返し確認させるステップと、繰り返して確認しても画像データの消去が確認できない場合は、システムをリセットさせるステップと、からなることを特徴とする携帯電話の待受画面用画像データ簡易伝送するためのプログラムである。
【００１８】請求項８は、利用者用が使用に際して課金を投入したことを確認するステップと、撮影装置の始動及び停止を指示するステップと、撮影装置が撮影した動画像を表示装置に表示させるステップと、表示装置に表示した動画像を拡大又は縮小させて表示するステップと、前記動画像を携帯電話に伝送させるステップと、使用終了を確認し、記憶装置に記録したすべての画像データが消去したことを繰り返し確認させるステップと、繰り返して確認しても画像データの消去が確認できない場合は、システムをリセットさせるステップと、からなることを特徴とする携帯電話の待受画面用画像データ簡易伝送するためのプログラムを記憶したコンピュータ読み取り可能な記憶媒体である。
【発明を実施するための最良の形態】
【００１９】以下、図面を参照して本発明の実施形態について説明する。以下の説明において、同一機能及び内容のものについては同一の符号を用いて説明する。【００２０】本発明は、図１に概説すると、携帯電話の待受け画面又は暇つぶし画面用に動画像を撮影する動画館におけるビデオカメラ撮影操作部１と、該画像データを処理制御部９と、携帯電話３０へ動画像を伝送する構成である。【００２１】図２は、本発明に係るビデオカメラ撮影操作部１の構造を示すブロック図であり、２は操作パネル、３はビデオカメラ群、４は表示装置、５は課金投入口、６は音声ガイドスピーカー、７は画像データ、８はデータ処理制御部とのデータインターフェースである。【００２２】次に、図３はデータ処理制御部９の構造を示すブロック図である。１０はＣＰＵ、１１は記憶装置、１２は一時記憶装置、１３はデータ送信装置、１４はインターフェース部、１５は画像データ加工処理部である。【００２３】データ処理制御部９は、汎用のデスクトップ又はノートブックタイプのパーソナルコンピュータである。そして、これらコンピュータはシステムに組込むことにより実現される場合もある。従ってデータ処理制御部９は、中央処理装置ＣＰＵ１０、記憶装置１１（コンピュータが読み取り可能な、メモリ、半導体メモリ、ＨＤＤなどを含む）は、ＲＯＭ、ＲＡＭ、ＶＲＡＭ（ビデオラム）であり、表示装置、マウス、キーボード等の入力装置等（図示しない）既知のパーソナルコンピュータの構成を備えている。また、ハードデイスクや書換え可能なＤＶＤ等の記憶装置１１を外部に増設することも可能になっている。それら記憶装置１１等の各デバイスはＣＰＵ１０に制御される構成である。さらに、ＯＳ（オペレーテングシステム）はＲＯＭ又はハードディスクに記録し、その他のソフトウェアプログラムも記録できるようになっている。【００２４】図４は、本発明に係るビデオカメラ撮影操作部１における操作パネル２及び表示装置４の構成を示す図である。操作パネル２にはスタートキー２０１と、課金投入口５と、音声ガイドスピーカー６と、実行キー２０２と、終了キー２０３と、拡大縮小レバー（ボール）２０４からなる。そして、操作パネル２と一体併設する表示装置４は、平面画像エリア４Ａ、正面画像エリア４Ｂ、背面画像エリア４Ｃ、左側面画像エリア４Ｄ、右側面画像エリア４Ｅに区分されている。【００２５】図５は、ビデオカメラ群３の配置状態を示す平面概略図である。ビデオカメラは、正面画像用ビデオカメラ３Ａ、背面画像用ビデオカメラ３Ｂ、平面画像用ビデオ３Ｃ、左側面画像用ビデオカメラ３Ｄ、右側面画像用カメラ３Ｅを配置する。各ビデオカメラの画像は、それぞれ表示装置４の指定したエリアに表示される。すなわち、図６に示すように、正面画像用ビデオカメラ３Ａの映像は、正面画像エリア４Ｂに、背面画像用ビデオカメラ３Ｂの映像は背面画像エリア４Ｃに、平面画像用ビデオ３Ｃの画像は平面画像エリア４Ａに、左側面画像用ビデオカメラ３Ｄの画像は左側面画像エリア４Ｄに、右側面画像用カメラ３Ｅの画像は右側面画像エリア４Ｅに表示される。【００２６】図７は、正面画像用ビデオカメラ３Ａの映像を、表示装置４全域に表示した状態を示す図である。拡大縮小レバー２０４の操作によって拡大して表示できる。表示装置４は、タッチパネル表示装置であり、画像エリアの画面を２度タッチすると拡大表示し、さらに、１度タッチすると押すと元の縮小表示に戻るようになっている。【００２７】各ビデオカメラ群３は固定して設置され、被写体は自動焦点機能を備え、各ビデオカメラは、ほぼ同一縮尺で同時に連続して１０秒から２０秒間撮影する。【００２８】図２に示すように各ビデオカメラの画像データ７は、データインタフェース８を介してデータ処理制御部９へ伝送される（図１、図２、図３参照）。【００２９】図３に示すように、各ビデオカメラの画像は、データ処理制御部９に読み取られ、記憶装置１１に記録保存される。その場合、映像データは、画像圧縮し外部記憶装置へ記録保存される。画像データ７の容量は、撮影開始から２０秒と設定しているため、その容量は一定である。本発明の実施例では、主メモリ２ギガバイト、外部記憶装置は４０ギガバイトの容量を前提に説明していることから、それらの制約上、各ビデオカメラの画像データ７の記憶容量を一定にしている。【００３０】各ビデオカメラの画像データ７は、各ビデオカメラ３には予めＩＤを設定し、図８に示すように、カメラのＩＤに対応した記憶装置１１のエリアに記録される。記憶装置１１にはＩＤ番号を設定し、そのＩＤ番号に対応したビデオカメラの画像データだけが、記録保存される。例えば、ＩＤ番号０００５を右側面のビデオカメラ５と設定した場合、０００５の画像は、記憶装置０００５のエリアに記録保存する。記憶装置１１の記憶容量を超えた場合は、初めに記憶した古い画像データから順番に上書き保存する。尚、ビデオカメラ１１の画像データ量は、１６５Ｍｂｉｔ／秒であり、ビデオカメラ１５から２０秒間作動させることから、２，４７５Ｍｂｉｔ／１台から３３００Ｍｂｉｔ／１台のデータ量であり、５台のビデオカメラの総画像データ量は１２，３７５Ｍｂｉｔ／１５秒から１６，５００Ｍｂｉｔ／２０秒である。【００３１】伝送された各画像データ７は、データ処理制御部９において、画像データ加工処理部１５において画像圧縮処理される。画像圧縮は、例えばＭＰＥＧ又はＪＰＥＧ形式で撮影データを圧縮処理される。ＭＰＥＧ２による画像圧縮では、データ量は約４０分の１に圧縮され、画像データ７は約３０９．３Ｍｂｉｔから４１２．５Ｍｂｉｔとなる。このように圧縮された画像データ７は、データ処理制御部９の記憶装置１１に記録される。さらにデータ伝送装置１３及びインタフェース部１４を介して携帯電話１６へ伝送できる。【００３２】携帯電話１６への伝送は、操作パネル２の実行キー２０２を押すと、携帯電話１６の待受け画面又は暇つぶし画面用に動画データを伝送する。伝送する動画データは、希望するお気に入りの画像の表示画面をタッチし、実行キー２０２を押すと、タッチした画面の映像を伝送する。また、ビデオカメラの全画面にタッチして実行キー２０２を押すと全ビデオカメラの動画データが伝送できる。携帯電話の待受けデータ容量を超えた場合は、たとえ、全画面を伝送実行しても、伝送した画像データは携帯電話に記録されない。【００３３】次に、本発明の動作使用例を説明する。【００３４】利用者は、図２に示すビデオカメラ撮影操作部１の課金投入口５に例えば１回当りの利用料金５００円を投入し、音声ガイドスピーカー６からアナウンスされる指示に従って所定の位置に立ち、操作パネル２のスタートキー２０１を押す。スタートキー２０１押すと所定の位置に配置したビデオカメラ群３は一斉に作動し撮影を開始する。１０秒から２０秒間、被写体は所定の位置で自由に動きポーズをとることができる。例えば、ゴルフスイング、ピッチングフォーム、ダンス等任意の動作をすることができる。それら任意の動作は一定時間（約１０秒から２０秒間）ビデオカメラ群３に逐一撮影され、画像データ７は、データインターフェース８を介して図３に示すデータ処理制御部９（請求項１の読み取り装置）に読み取られる。【００３５】データ処理制御部９は、利用者の課金口より投入された金額を検出し、処理時間を算出する。そして、データ処理制御部９の記憶装置１１に予め記録した音声ガイドのアナウンスをスタートする。音声ガイドスピーカー６からは、使用及び撮影の操作手順をアナウンスする。【００３６】利用者は、音声ガイドに従って、スタートキー２０１を押すと、データ処理制御部９へ信号が送信し、データ処理制御部９のＣＰＵ１０は各ビデオカメラの作動開始信号を発信し、ビデオカメラの撮影を作動し、作動開始から２０秒経過後にビデオカメラ作動停止信号を発信する。【００３７】撮影した画像は、図４に示すように表示装置４に表示され、操作パネル２の再生キー２０５を押すと、画像は、表示装置４の表示エリアに１回ごとの撮影した画像が再生表示される。連続して撮影した場合は、第１回目の撮影した画像から順次、表示装置４の各表示エリアに表示される。表示装置４の表示画面エリアに２度タッチすると画像が表示装置全域に拡大して表示できる。さらに、もう一度画面にタッチすると元の縮小画面に切り替わる。【００３８】また、拡大縮小レバー（ボール）２０４の操作により、表示装置４への拡大・縮小の表示ができる。拡大縮小レバー２０４を操作すると、表示装置４に表示された各ビデオカメラの画像は、表示装置４の各表示エリアに拡大又は縮小表示される。これによって、携帯電話１６の待受け画面又は暇つぶし画面に表示される拡大・縮小画像を確認できる。【００３９】撮影した画像データ７は、課金の時間が経過し、タイムオーバーになると、電源が自動的に切ることになっていることから、タイムオーバーによる電源ＯＦＦにならない限り、画像の再生表示ができる。【００４０】ＣＰＵ１０は、課金投入から１回当りの使用時間をカウントし、タイムオーバー３０秒前になると、音声ガイドスピーカー６を介して利用者へタイムオーバーを告知する。【００４１】さらに、タイムオーバーによる電源ＯＦＦになると、撮影した一切の画像データ７は消去される。処理制御部９の記憶装置１１に記録された画像データ７は、ＣＰＵ１０のデータ消去の指令により自動的に消去するようになっている。タイムオーバーによる終了又は終了キー２０３の操作により終了した場合は、画像データ７は完全に消去されるため、一再生キー２０５を押しても画像を再現する表示することはできない。【００４２】次に、画像データ７を、携帯電話の待受け画面又は暇つぶし画面用に伝送する使用例を説明する。利用者は、操作パネル２の実行キー２０２を押すと画像データ７を伝送できる。
携帯電話は予め設定した記憶容量の範囲で画像データ７を取り込むことができる。携帯電話の記憶容量を超えた画像データは読み込まれずに消去される。携帯電話に読み込まれた画像データだけが受待受け画面用のデータとして携帯電話の表示部に表示される。このように画像データは、ＭＰＥＧ又はＪＰＥＧ形式で画像データを圧縮処理して伝送することになっているが、伝送する画像データ量が携帯電話待受画面用の記憶容量を超えた場合に伝送した全画像データの送信が完了しないかぎり、不完全データ伝送処理として、再送を反復すると、画像データ伝送処理に時間がかかるとともに、せっかく撮影した画像データが携帯電話の待受画面に取り込めない結果となり、利用者の料金投入の無駄を回避するためである。【００４３】さらに、利用者が、撮影を繰り返す場合は、スタートキーを押すことにより、撮影を開始できる。投入課金が少なくなると操作ガイドからアナウンスがあり、追加金を補充できるようになっている。料金の補充があった場合は、撮影を続行する。一方、撮影を終了する場合は、終了キーを押すと、撮影は終了する。終了した際に、投入金額に余剰があれば余剰金は投入口から返金される。利用者は、現金投入に代えてプレペイドカード、銀行その他のカードでも利用できる。【００４４】携帯電話１６画像データの伝送は、赤外線通信により、約２０〜３０センチメートル離れた位置から簡易に伝送する。携帯電話１６操作により、伝送された画像データはが直ちに確認できる。【００４５】携帯電話１６への伝送に代えて、メモリステックまたは電子メールで他のＰＣに伝送することもできる。ＰＣからメールアドレスを入力し、画像データを送信する。メモリステックによる伝送の場合は、ＵＳＢのジャックを介して画像データを伝送する。【００４６】以下、図９により、本発明の実施例をフローチャートにより説明する。これらは、データ処理制御部９のＣＰＵ１０が制御するプログラムにより実行される。【００４７】ステップ１により、利用者からの入金があったことを確認する。ここでの確認は、投入口からコイン、紙幣、プリペイドカード又は銀行用カード等で支払いがあったことを検知し、それを受けてデータ処理制御部９のＣＰＵ１０が作動するようになっている（Ｓ１）。【００４８】ステップ２では、音声ガイド信号を発信する。音声ガイドのデータは、利用者が操作をすすめる過程で順次アナウンスされるように予め記憶装置１１に記憶されている。例えば、入金が確認されたときに、最初のアナウンス例として「中央の指定位置にお立ちください。」さらに、「終了時間が近づきました。継続する場合は、追加料金をご入金ください。追加料金の補充がない場合は、システムを終了します。システムが終了しますと、これまでの画像データはすべて消去され、再生することができませんので、ご了承願います。」等である。【００４９】ステップ３により、スタート信号受信により、タイムカウンタを開始する。スタートから、５分間を１回当りの所要時間とし、追加料金支払いにより、延長時間５分を追加継続としてカウントする。追加継続の場合は撮影を継続し、前に撮影した画像は消去されないで、追加して記憶装置１１に記憶される。一方、追加料金の補充がない場合は、終了し、先の画像データはすべて消去されることになっている（Ｓ３）。【００５０】ステップ４により、ビデオカメラ作動信号を送信する。各ビデオカメラ３は、一斉に作動し、各位置から撮影を開始する（Ｓ４）。【００５１】ステップ５により、撮影開始から２０秒経過後ビデオカメラ３の停止信号を発信し、画像データは、表示装置４へ表示するとともに記憶装置１１へ記録する（Ｓ５）。【００５２】ステップ６により、再生信号受信し、記録した画像データを記録装置１１から読み出し、読み出した画像データを送信する（Ｓ６）。【００５３】ステップ７は、拡大信号を確認し、表示装置４に拡大表示し、拡大表示を確認する。【００５４】ステップ８は、縮小信号確認し、表示装置４に元に復帰した縮小表示に切り替える（図５参照）。【００５５】ステップ９は、実行信号確認し、画像データを携帯電話１６の待受画面又は暇つぶし画面用の記憶装置（図示しない）へ伝送する。【００５６】ステップ１０により、タイムオーバーを確認し、追加入金の補充の有無を確認する。追加入金の補充がないことを確認した場合は、ステップ１１により、終了する。【００５７】ステップ１１及び１２により、終了を確認し、すべてのデータ消去する。さらに、ステップ１３により、すべての画像データが消去されたことを確認する（Ｓ１１，１２、１３）。すべてのデータが消去されたことを確認できるまで消去操作を繰り返えし実行し、少なくとも２度目の消去実行操作を繰り返しても消去されたことが確認できない場合は、自動リセット機能により、データ処理制御部９は再起動し、スリープモードへ移る。そして、入金により、上記ステップ１に切り替わる。自動リセット機能により撮影し、記録装置１１に記録された画像データ７はすべて消去する。
【本発明の他の実施例１】
【００５８】
【００５９】本発明の他の実施例１では、各ビデオカメラ部の人物の部分映像を、人物全体像に合成する。この立体合成は、データ処理制御部９記憶装置１１に記憶した合成用ソフトウェアプログラムにより実行される。
【００６０】また、ここでの立体動画像の生成は、操作パネル２に立体生成キー（図示しない）を設け、そのキーを押すことにより、データ処理制御部９のＣＰＵ１０により、記憶装置１１の記憶した合成用ソフトウェアプログラムが作動し、立体動画像に編集加工する。他方、立体生成キーの操作を介さずに、自動的に立体動画像を生成することとしてもよい。この場合、ＣＰＵ１０は、記憶装置１１に立体動画像のエリアに立体動画像データを上書きしないで別のエリアに記録する。これによって、表示装置４には、二次元動画と立体動画データが再生機能により表示できる。なお、記憶装置の記録容量が二次元動画データ立体動画データを併せて記憶できない制約がある場合は、立体動画像を二次元動画データに上書きし、立体動画像を記録できるように設定してもよい。
【００６１】図４に示した、各ビデオカメラ、すなわち、正面画像用ビデオカメラ３Ａ、背面画像用ビデオカメラ３Ｂ、平面画像用ビデオ３Ｃ、左側面画像用ビデオカメラ３Ｄ、右側面画像用カメラ３Ｅの各画像を記憶装置１１に記憶した合成用ソフトウェアプログラムが立体画像に処理加工する。背面からのビデオカメラの画像を立体画像に編集加工し、表示装置４には、普段では見ることができない背面の立体画像が表示される。同様に各ビデオカメラの画像は、それぞれ表示装置４の指定したエリアに立体画像に編集処理されて表示される。
【００６２】すなわち、図５に示すように、正面画像用ビデオカメラ３Ａの立体動画像は、正面画像エリア４Ｂに、背面画像用ビデオカメラ３Ｂの立体動画像は背面画像エリア４Ｃに、平面画像用ビデオ３Ｃの立体動画像は平面画像エリア４Ａに、左側面画像用ビデオカメラ３Ｄの動画像は左側面画像エリア４Ｄに、右側面画像用カメラ３Ｅの動画像は右側面画像エリア４Ｅというように表示される。
【００６３】立体動画像も上記と同様に、図４に示すように操作パネル２の再生キー２０５を押すと、立体動画像は、表示装置４の各表示エリアに動画像が表示される。表示装置４の表示画面エリアに２度タッチすると立体動画像が表示装置全域に拡大して表示し、さらに、もう一度画面にタッチすると元の縮小画面に切り替わる。
【００６４】各立体動画像データは、データ処理制御部９において、画像圧縮処理される。画像圧縮は、上記と同様に、ＭＰＥＧ又はＪＰＥＧ形式で撮影データを圧縮処理される。
【００６５】そして、圧縮された立体動画像データは、上記と同様にデータ伝送装置１３及びインタフェース部１４を介して携帯電話１６へ伝送する。
【本発明の他の実施例２】
本発明の他の実施例２は、データ処理制御部９において、画像データ加工処理部１６において画像圧縮処理し、その画像データをＵＳＢ（Ｕｎｉｖｅｒｓａｌ  Ｓｅｒｉａｌ  Ｂｕｓ）などのデータ伝送装置１３及びインタフェース部１４を介して外部のＰＤＡ（Ｐｅｒｓｏｎａｌ  Ｄｉｇｉｔａｌ  Ａｓｓｉｓｔａｎｃｅ）へ伝送することもできる。また、赤外線による外部メモリ（メモリステック）へ伝送することができる。赤外線による伝送の場合は、伝送する機器を２０から３０センチメートル近づけて行う。
【発明の効果】
【００６６】
【００６７】本発明は、各ビデオカメラからのアングルからの動画像撮影し、その画像を二次元又は立体動画像として表示装置４の小画面に表示し、形態電話１６の待受画面又は暇つぶし画面用の動画像簡便に生成できるとともに生成した動画像を２０から３０センチメートルの自己の携帯電話１６へワンタッチで簡便に伝送できる効果を奏する。また、再生機能により、表示装置に撮影した動画像を再表示し、携帯電話へ伝送動画像を確認し、再生表示を見ることにより楽しむことができる効果を奏する。
【００６８】次に本発明は、課金の時間が経過するとシステムを終了し、撮影した一切の画像データは消去し、利用者のプライバシーを保護し、安全な娯楽装置として利用できる効果を奏する。
【００６９】さらに、本発明は、表示装置４の各表示エリアに表示された画面にタッチすると、タッチされたアングルの画像が表示装置全域に拡大して表示し、さらに、拡大表示された画面にタッチすると、元の各アングルからの画像表示に復帰して表示し、利用者は、希望するアングルの表示画面にタッチして拡大・縮小を表示でき、娯楽性を高める効果を奏する。
【図面の簡単な説明】
【００７０】
【図１】本発明に係る実施例の全体構成図
【図２】本発明に係るビデオカメラ撮影操作部１の構造を示すブロック図
【図３】データ処理制御部９の構造を示すブロック図
【図４】操作部１における操作パネル２及び表示装置４の構成を示す概略図
【図５】ビデオカメラ群３の配置例を示す平面概略図
【図６】各ビデオカメラからの画像を表示装置に表示した例を示す概略図
【図７】正面画像用ビデオカメラ３Ａの画像を表示装置４の全域表示例
【図８】記憶装置の記録データ構造を示す図
【図９】本発明に係るフローチャート
【符号の説明】
１はビデオカメラ撮影操作部
２は操作パネル
３はビデオカメラ群
４は表示装置
５は課金投入口
６は音声ガイドスピーカー
７は画像データ
８はデータインターフェース
９はデータ処理制御部
１０はＣＰＵ
１１は記憶装置
１２は一時記憶装置
１３はデータ送信装置
１４はインターフェース部
１５は画像データ処理部
１６は携帯電話
【図１】
2006174390.tif 000003
【図２】
2006174390.tif 000004
【図３】
2006174390.tif 000005
【図４】
2006174390.tif 000006
【図５】
2006174390.tif 000007
【図６】
2006174390.tif 000008
【図７】
2006174390.tif 000009
【図８】
2006174390.tif 000010
【図９】
2006174390.tif 000011